(57)【要約】  連結ユニットは、ケーブル給電型の第１の照明装置に取り付けられる第１の連結器具と、ケーブル給電型の第２の照明装置に取り付けられる第２の連結器具と、を備える。第１の連結器具は、第２の連結器具と連結する第１連結部を有し、第２の連結器具は、第１の連結器具と連結する第２連結部を有する。第１連結部は、第１凸部と、第１凹部とを有し、第２連結部は、第１凹部に対応する第２凸部と、第１凸部に対応する第２凹部とを有する。
2019073768.tif 000002
【特許請求の範囲】
【請求項１】
ケーブル給電型の第１の照明装置に取り付けられる第１の連結器具と、
ケーブル給電型の第２の照明装置に取り付けられる第２の連結器具と、を備え、
前記第１の連結器具は、前記第２の連結器具と連結する第１連結部を有し、
前記第２の連結器具は、前記第１の連結器具と連結する第２連結部を有し、
前記第１連結部は、第１凸部と、第１凹部とを有し、
前記第２連結部は、前記第１凹部に対応する第２凸部と、前記第１凸部に対応する第２凹部とを有する、
連結ユニット。
【請求項２】
前記第１の連結器具は、前記第１の照明装置が有する給電ケーブルを通す通線部を、前記第１連結部とは異なる部分に有し、
前記第２の連結器具は、前記第２の照明装置が有する給電ケーブルを通す通線部を、前記第２連結部とは異なる部分に有する、
請求項１に記載の連結ユニット。
【請求項３】
前記第１の連結器具は、前記第１の照明装置が有する給電ケーブルを通す通線部を、前記第１連結部とは異なる部分に有し、
前記第２の連結器具は、前記第２の照明装置が有する給電ケーブルを通す通線部を有しない、
請求項１に記載の連結ユニット。
【請求項４】
前記第１の連結器具および前記第２の連結器具は、各々取り付けられる前記第１の照明装置および前記第２の照明装置の長手方向に平行な少なくとも一つの断面がＬ字型の形状を有する、
請求項１から３のいずか１項に記載の連結ユニット。
【請求項５】
前記第１の連結器具は、取り付けられる前記第１の照明装置の長手方向に平行な少なくとも一つの断面が凸型の形状を有し、
前記第２の連結器具は、取り付けられる前記第２の照明装置の長手方向に平行な少なくとも一つの断面が凹型の形状を有する、
請求項１から３のいずれか１項に記載の連結ユニット。
【請求項６】
前記第１の連結器具は、取り付けられる前記第１の照明装置の長手方向に平行な少なくとも一つの断面が凹型の形状を有し、
前記第２の連結器具は、取り付けられる前記第２の照明装置の長手方向に平行な少なくとも一つの断面が凸型の形状を有する、
請求項１から３のいずれか１項に記載の連結ユニット。
【請求項７】
前記第１の連結器具は、前記第１連結部とは異なる部分に突起部を有し、
第２の連結器具は、前記第２連結部とは異なる部分に突起部を有する、
請求項１から６のいずれか１項に記載の連結ユニット。
【請求項８】
ケーブル給電型の照明装置に取り付けられ、他のケーブル給電型の照明装置に取り付けられる他の連結器具と連結するための連結器具であって、
前記他の連結器具と連結する連結部を備え、
前記連結部は、前記他の連結器具が有する凸部に対応する凹部と、前記他の連結器具が有する凹部に対応する凸部とを含む、
連結器具。
【請求項９】
前記ケーブル給電型の照明装置が有する給電ケーブルを通す通線部を、前記連結部とは異なる部分に有する、
請求項８に記載の連結器具。
【請求項１０】
取り付けられる前記ケーブル給電型の照明装置の長手方向に平行な少なくとも一つの断面がＬ字型の形状を有する、
請求項８または９に記載の連結器具。
【請求項１１】
取り付けられる前記ケーブル給電型の照明装置の長手方向に平行な少なくとも一つの断面が凸型の形状を有する、
請求項８または９に記載の連結器具。
【請求項１２】
取り付けられる前記ケーブル給電型の照明装置の長手方向に平行な少なくとも一つの断面が凹型の形状を有する、
請求項８または９に記載の連結器具。
【請求項１３】
さらに突起部を前記連結部とは異なる部分に有する、
請求項８から１２のいずれか１項に記載の連結器具。
【発明の詳細な説明】
【技術分野】
【０００１】
本発明は、直管型の照明装置に用いる連結ユニットおよび連結器具に関する。
【背景技術】
【０００２】
複数の直管型の照明装置を設置することで、複数の直管型の照明装置は空間内の対象物を照射する。【０００３】
特許文献１では、照明装置が空間内の対象物に対して光を照射するものが開示されている。
【先行技術文献】
【特許文献】
【０００４】
【特許文献１】特開２０１５−６１６２号公報
【発明の概要】
【０００５】
複数の直管型の照明装置が配置される環境では、各々の照明装置が個別に配置されているため、照射面上の照度にバラつきが生じる。特に、照明装置と照明装置との間については、例えば照明装置の中心の照度と比較すると明るさが劣ってしまう。
【０００６】
本発明は、このような状況に鑑みなされたものであり、照明装置と照明装置との間の光の照度にバラつきが生じることを抑制する連結ユニットおよび連結器具を提供する。
【０００７】
本発明の一態様に係る連結ユニットは、ケーブル給電型の第１の照明装置に取り付けられる第１の連結器具と、ケーブル給電型の第２の照明装置に取り付けられる第２の連結器具と、を備える。第１の連結器具は、第２の連結器具と連結する第１連結部を有し、第２の連結器具は、第１の連結器具と連結する第２連結部を有する。第１連結部は、第１凸部と、第１凹部とを有し、第２連結部は、第１凹部に対応する第２凸部と、第１凸部に対応する第２凹部とを有する。
【０００８】
また、本発明の一態様に係る連結器具は、ケーブル給電型の照明装置に取り付けられ、他のケーブル給電型の照明装置に取り付けられる他の連結器具と連結するための連結器具であって、他の連結器具と連結する連結部を備え、連結部は、他の連結器具が有する凸部に対応する凹部と、他の連結器具が有する凹部に対応する凸部とを含む。
【０００９】
本発明によれば、複数の照明装置が配置される環境において、照明装置と照明装置との間の直下周辺の照射面での照度低下を抑制する連結ユニットおよび連結器具を提供することができる。
【図面の簡単な説明】
【００１０】
【図１】従来の栽培工場におけるＬＥＤランプの一例を示す図
【図２】口金給電型のＬＥＤランプの一例を示す図
【図３】防水リングを有する口金給電型のＬＥＤランプにおける取り付け手順の一例を示す図
【図４】実施の形態に係る栽培工場における給電ケーブル垂直出しによるＬＥＤランプの構造の一例を示す図
【図５】実施の形態に係る複数の垂直出しＬＥＤランプが連結ユニットによって連結されることの一例を示す図
【図６】実施の形態に係る栽培工場における給電ケーブル水平出しによるＬＥＤランプの構造の一例を示す図
【図７】実施の形態に係る複数の水平出しＬＥＤランプがエンドキャップによって連結されることの一例を示す図
【図８】実施の形態に係るエンドキャップの第１の形状の一例を示す図
【図９】実施の形態に係る第１の形状を有するエンドキャップ同士の取り付けの一例を示す図
【図１０】実施の形態に係る栽培工場におけるＬＥＤランプの配置を従来と比較した際の一例を示す図
【図１１】実施の形態に係る栽培工場におけるＬＥＤランプの配置を従来と比較した際の照度分布の一例を示す図
【図１２】実施の形態に係る栽培工場におけるＬＥＤランプの配置を従来と比較した際の照度のグラフ表示の一例を示す図
【図１３】実施の形態に係るエンドキャップの第２の形状の一例を示す図
【図１４】実施の形態に係る第２の形状を有するエンドキャップ同士の取り付けの一例を示す図
【図１５】実施の形態に係るエンドキャップの第３の形状の一例を示す図
【図１６】実施の形態に係るエンドキャップの第４の形状の一例を示す図
【図１７】実施の形態に係るＬＥＤランプを保持するためのホルダの一例を示す図
【発明を実施するための形態】
【００１１】
（本発明の一態様を得るに至った経緯）
図１は従来の栽培工場におけるＬＥＤランプ１０１（照明装置の一例）の一例を示す図である。従来の照明装置では、直管型の照明装置の長手方向の両端がソケット２０１で固定されている。以降、照明装置の配置について、栽培工場を例として説明する。
【００１２】
図１に示すように、従来の栽培工場では、ソケット２０１を用いる口金給電型のＬＥＤランプ１０１、栽培物４０１、栽培ベッド４０２を有する。
【００１３】
口金給電型のＬＥＤランプ１０１が装着できるように、ソケット２０１は天面１０７に固定される。そして、栽培ベッド４０２上の栽培物４０１に対して光を照射することで栽培物４０１の成長を促す。
【００１４】
しかしながら、互いに異なる照明装置が取り付けられるソケット２０１間には、ソケット２０１自身の厚みや取り付け作業上の制約から、隣り合うＬＥＤランプ１０１内のＬＥＤパッケージ１０４（素子）間の距離が離れてしまい、複数のＬＥＤランプ１０１が配置される空間において照射面の照度にバラつきが生じてしまうという課題がある。
【００１５】
図２は口金給電型のＬＥＤランプ１０１の口金部１０５付近を示す図である。図２に示すように、ソケット２０１を用いる口金給電型のＬＥＤランプ１０１は、長手方向における両端に設けられる口金ピン１０６をソケット２０１における回転子２０３に合わせることで装着する。
【００１６】
特に、栽培工場などでは、ソケット２０１とＬＥＤランプ１０１との間に液体が付着および浸入し、ショートまたは端子部の腐食などを防止するため、ＬＥＤランプ１０１には防水リング２０４を用いられる。
【００１７】
図３は、防水リング２０４を有する口金給電型のＬＥＤランプ１０１における取り付け手順の一例を示す図である。
【００１８】
図３の（ａ）に示すように、ＬＥＤランプ１０１の口金ピン１０６をソケット２０１における回転子２０３に合わせる。そして、図３の（ｂ）に示すように、ＬＥＤランプ１０１をソケット２０１に固定するために、回転子２０３の回転方向に合わせて９０度回転させる。これにより、ＬＥＤパッケージ１０４が配置される基板１０３の面が向く方向は、水平方向から垂直方向へ回転される。なお、ＬＥＤパッケージ１０４が配置される基板１０３の面と対となる面を基板背面とする。
【００１９】
さらに、図３の（ｃ）に示すように、ＬＥＤランプ１０１とソケット２０１において液体が付着することがないように、防水リング２０４がソケットボディ２０２に固定される。具体的には、防水リング２０４とソケット２０１内には、防水リング２０４とソケットボディ２０２を締結するためのオネジ部とメネジ溝が形成されており、ソケット２０１に対して防水リング２０４を回転し、締結させることで固定される。防水リング２０４内側にはパッキンが配置されており、これにより外部から口金ピン１０６に液体が付着、浸入するのを防止する。
【００２０】
このように、従来の照明装置における取り付けでは、ＬＥＤランプ１０１およびＬＥＤに設けられた防水リング２０４をソケット２０１に回転させて取り付ける。
【００２１】
しかしながら、図１から３のようなＬＥＤランプ１０１では、口金ピン１０６をソケット２０１の回転子２０３の適切な位置に取り付けなければならないこと、防水リング２０４をＬＥＤパイプ１０２へ事前に取り付けていなければならないこと、さらに、防水リングを正確にソケットに取り付けなければならないこと、などが必要とされ、部品数および取り付け工数が増加する。
【００２２】
本発明の一態様に係る連結ユニットでは、給電ケーブルを備えるケーブル給電型の第１の照明装置に取り付けられる第１の連結器具と、給電ケーブルを備えるケーブル給電型の第２の照明装置に取り付けられる第２の連結器具と、を備える。第１の連結器具は、第２の連結器具と連結する第１連結部を有し、第２の連結器具は、第１の連結器具と連結する第２連結部を有する。第１連結部は、第１凸部と、第１凹部とを有し、第２連結部は、第１凹部に対応する第２凸部と、前記第１凸部に対応する第２凹部とを有する。
【００２３】
この構成によれば、第１の連結器具と第２の連結器具によって構成される連結ユニットは、複数の照明装置を近接して連結することができ、連結される照明装置と照明装置との間の直下周辺の照射面の照度のバラつきを抑制することができる。
【００２４】
また、この構成によれば、複数の照明装置を連結するため、個々のＬＥＤランプ１０１において防水リング２０４を有する必要もなく、取り付けの作業も省くことができるため、部品数および取り付け工数を減らすことができる。
【００２５】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２６】
なお、添付図面および以下の説明は、当業者が本開示を十分に理解するために、提供されるのであって、これらにより請求の範囲に記載の主題を限定することは意図されていない。
【００２７】
（実施の形態）
［１−１．垂直出しＬＥＤランプによる構造］
図４は、実施の形態に係る栽培工場における給電ケーブル３０３の垂直出しによるＬＥＤランプ１００の構造の一例を示す図である。図４の（ａ）は、給電ケーブル３０３の垂直出しによるＬＥＤランプ１００における上面視の一例を示す図であり、図４の（ｂ）は、給電ケーブル３０３の垂直出しによるＬＥＤランプ１００における側面視の一例を示す図である。
【００２８】
給電ケーブル３０３の垂直出しによるＬＥＤランプ１００（以下、垂直出しＬＥＤランプ１００）は、第１エンドキャップ３０１、第２エンドキャップ３０２、給電ケーブル３０３を有する。
【００２９】
垂直出しＬＥＤランプ１００は、給電ケーブル３０３または給電コードを介して電源供給を行う。なお、このような構成のＬＥＤランプを本実施の形態では、ケーブル給電型ＬＥＤランプと呼ぶ。また、垂直出しＬＥＤランプ１００は直管型のＬＥＤランプであり、円柱形状である。また、垂直出しＬＥＤランプ１００は、ＬＥＤパッケージ１０４が鉛直方向下向きの場合に、給電ケーブル３０３が鉛直方向、すなわち、ＬＥＤランプ１００の基板１０３の面に対して垂直な方向から配線されている。具体的には、給電ケーブル３０３は、図４に示すように、第１エンドキャップ３０１における基板１０３の背面側に接続されている。
【００３０】
第１エンドキャップ３０１は、垂直出しＬＥＤランプ１００の長手方向に対する両端の一端に設けられる連結器具である。
【００３１】
第１エンドキャップ３０１は、第１凸部３０６、第１凹部３０７、通線部３０４を有する。
【００３２】
第１凸部３０６は、第１エンドキャップ３０１におけるＬＥＤパイプ１０２に取り付けられる側の面とは対面に設けられる。例えば、第１凸部３０６は、ＬＥＤランプの長手方向に見た場合に半円形状を有する。
【００３３】
第１凹部３０７は、第１エンドキャップ３０１におけるＬＥＤパイプ１０２に取り付けられる側の面とは対面において、第１凸部を除いた領域に設けられる。例えば、第１凹部３０７は、ＬＥＤランプの長手方向に見た場合に半円形状を有する。
【００３４】
これにより、図４の（ａ）に示すように、上面視であれば、第１エンドキャップ３０１はＬ字型の構造を有する。即ち、第１エンドキャップ３０１における基板１０３に平行な断面（ＬＥＤランプの長手方向に平行な断面の１つ）はＬ字型の形状を有する。
【００３５】
なお、本実施の形態では、第１凸部３０６および第１凹部３０７を第１連結部とする。
【００３６】
通線部３０４は垂直出しＬＥＤランプ１００が有する給電ケーブル３０３が通る通線口である。図４の（ａ）および（ｂ）に示すように、垂直方向に給電ケーブル３０３が通るように第１エンドキャップ３０１の周縁に設けられる。
【００３７】
第２エンドキャップ３０２は、垂直出しＬＥＤランプ１００の長手方向に対する両端のうち、第１エンドキャップ３０１が設けられる一端と異なる他端に設けられる連結器具である。
【００３８】
第２エンドキャップ３０２は、第２凸部３０８、第２凹部３０９を有する。
【００３９】
第２凸部３０８は、第２エンドキャップ３０２におけるＬＥＤパイプ１０２に取り付けられる側の面とは対面に設けられる。例えば、第２凸部３０８は、ＬＥＤランプの長手方向に見た場合に半円形状を有する。
【００４０】
第２凹部３０９は、第２エンドキャップ３０２におけるＬＥＤパイプ１０２に取り付けられる側の面とは対面において、第２凸部３０８を除いた領域に設けられる。例えば、第２凹部３０９は、ＬＥＤランプの長手方向に見た場合に半円形状を有する。
【００４１】
これにより、第２エンドキャップ３０２は、図４の（ａ）に示すように、上面視であればＬ字型の構造を有する。即ち、第２エンドキャップ３０２における基板１０３に平行な断面（ＬＥＤランプの長手方向に平行な断面の１つ）はＬ字型の形状を有する。
【００４２】
なお、本実施の形態では、第２凸部３０８および第２凹部３０９を第２連結部とする。
【００４３】
図５は、実施の形態に係る連結ユニットによって連結された複数の垂直出しＬＥＤランプ１００の一例を示す図である。図５の（ａ）は、連結ユニットによって連結された複数の垂直出しＬＥＤランプ１００の上面視を示す図であり、図５の（ｂ）は、連結ユニットによって連結された複数の垂直出しＬＥＤランプ１００の側面視を示す図である。
【００４４】
ここで、連結ユニットは、２つのエンドキャップを組み合わせたものである。すなわち、連結ユニットとは連結される連結器具同士のことである。
【００４５】
図５に示すように、一方の垂直出しＬＥＤランプ１００と他方の垂直出しＬＥＤランプ１００とを連結するとき、互いの第１エンドキャップ３０１同士が連結されるようにする。このとき、一方の垂直出しＬＥＤランプ１００の第１エンドキャップ３０１に設けられる第１凸部３０６は、他方の垂直出しＬＥＤランプ１００の第１エンドキャップ３０１に設けられる第１凹部３０７に対応する形状である。そして、一方の垂直出しＬＥＤランプ１００に設けられる第１凸部３０６と、他方の垂直出しＬＥＤランプ１００に設けられる第１凹部３０７と、によって、一方の垂直出しＬＥＤランプ１００と他方の垂直出しＬＥＤランプ１００とは連結される。
【００４６】
また、一方の垂直出しＬＥＤランプ１００に設けられる第１凹部３０７は、他方の垂直出しＬＥＤランプ１００に設けられる第１凸部３０６に対応する形状である。そして、一方の垂直出しＬＥＤランプ１００に設けられる第１凹部３０７と、他方の垂直出しＬＥＤランプ１００に設けられる第１凸部３０６と、によって、一方の垂直出しＬＥＤランプ１００と他方の垂直出しＬＥＤランプ１００とは連結される。
【００４７】
また、図５に示すように、各々の垂直出しＬＥＤランプ１００は、各々の第１エンドキャップ３０１の通線部３０４により、各々の給電ケーブル３０３が同じ方向から配線されている。
【００４８】
また、図５に示すように、一方の垂直出しＬＥＤランプ１００と他方の垂直出しＬＥＤランプ１００とを連結するとき、互いの第２エンドキャップ３０２が連結されるようにする。このとき、一方の垂直出しＬＥＤランプ１００の第２エンドキャップ３０２に設けられる第２凸部３０８は、他方の垂直出しＬＥＤランプ１００の第２エンドキャップ３０２に設けられる第２凹部３０９と組み合わされる。また、一方の垂直出しＬＥＤランプ１００に設けられる第２凹部３０９は、他方の垂直出しＬＥＤランプ１００に設けられる第２凸部３０８と組み合わされる。
【００４９】
図５の例では、一方の垂直出しＬＥＤランプ１００と他方の垂直出しＬＥＤランプ１００とを連結するとき、互いの第１エンドキャップ３０１または互いの第２エンドキャップ３０２が連結されるようにした。これに対し、後述のように、一方の垂直出しＬＥＤランプ１００の第１エンドキャップ３０１の第１凸部３０６と、他方の垂直出しＬＥＤランプ１００の第２エンドキャップ３０２の第２凹部３０９とを連結し、一方の垂直出しＬＥＤランプ１００の第１エンドキャップ３０１の第１凹部３０７と、他方の垂直出しＬＥＤランプ１００の第２エンドキャップ３０２の第２凸部３０８とを連結するようにしてもよい。すなわち、２つの垂直出しＬＥＤランプ１００を連結するとき、一方の垂直出しＬＥＤランプ１００の第１エンドキャップ３０１と、他方の垂直出しＬＥＤランプ１０１の第２エンドキャップ３０２が連結されてもよい。
【００５０】
［１−２．水平出しＬＥＤランプによる構造］
図６は、実施の形態に係る栽培工場における給電ケーブル３０３の水平出しによるＬＥＤランプ１１０の構造の一例を示す図である。図６の（ａ）は、給電ケーブル３０３の水平出しによるＬＥＤランプ１１０における上面視の一例を示す図であり、図６の（ｂ）は、給電ケーブル３０３の水平出しによるＬＥＤランプ１１０における側面視の一例を示す図である。
【００５１】
給電ケーブル３０３の水平出しによるＬＥＤランプ１１０（以下、水平出しＬＥＤランプ１１０）は、垂直出しＬＥＤランプ１００とは、図６に示すように、ＬＥＤパッケージ１０４が鉛直方向下向きの場合に、給電ケーブル３０３が水平方向、かつＬＥＤランプ１０１の長手方向に対して垂直な方向から配線される点で異なる。具体的には、給電ケーブル３０３は、図６に示すように、第１エンドキャップ３０１における基板１０３の側面側に接続されている。
【００５２】
水平出しＬＥＤランプ１１０では、垂直出しＬＥＤランプ１００と異なり、図６の（ｂ）に示すように、第１凸部３０６は第１エンドキャップ３０１の下部に設けられ、第１凹部３０７は第１エンドキャップ３０１の上部に設けられる。また、第２凸部３０８は第２エンドキャップ３０２の上部に設けられ、第２凹部３０９は第２エンドキャップ３０２の下部に設けられる。即ち、水平出しＬＥＤランプ１１０の第１エンドキャップ３０１および第２エンドキャップ３０２は、それぞれ垂直出しＬＥＤランプ１００の第１エンドキャップ３０１および第２エンドキャップ３０２がＬＥＤパイプ１０２に対して９０°回転した状態で設けられる。なお、第１凸部３０６を第１エンドキャップ３０１の上部に、第１凹部３０７を第１エンドキャップ３０１の下部に、第２凸部３０８を第２エンドキャップ３０２の下部に、第２凹部３０９を第２エンドキャップ３０２の上部にそれぞれ設けてもよい。
【００５３】
これにより、図６の（ｂ）に示すように、第１エンドキャップ３０１および第２エンドキャップ３０２は、側面視において、Ｌ字型の構造を有する。即ち、水平出しによるＬＥＤランプ１１０の第１エンドキャップ３０１および第２エンドキャップ３０２のそれぞれにおけるＬＥＤランプの長手方向に平行であって基板１０３に垂直な断面はＬ字型の形状を有する。
【００５４】
また、水平出しＬＥＤランプ１１０における第１エンドキャップ３０１において通線部３０４は、給電ケーブル３０３が水平方向に通るように設けられる点で、垂直出しＬＥＤランプ１００と異なる。
【００５５】
その他の構成については、垂直出しＬＥＤランプ１００と同様であり、説明は割愛する。
【００５６】
図７は、実施の形態に係る連結ユニットによって連結された複数の水平出しＬＥＤランプ１１０の一例を示す図である。図７の（ａ）は、連結ユニットによって連結された複数の水平出しＬＥＤランプ１１０の上面視を示す図であり、図７の（ｂ）は、連結ユニットによって連結された複数の水平出しＬＥＤランプ１１０の側面視を示す図である。
【００５７】
図７に示すように、一方の水平出しＬＥＤランプ１１０と他方の水平出しＬＥＤランプ１１０とを連結するとき、一方の水平出しＬＥＤランプ１１０における第１エンドキャップ３０１の第１凸部３０６と、他方の水平出しＬＥＤランプ１１０における第２エンドキャップ３０２の第２凹部３０９とを連結し、一方の水平出しＬＥＤランプ１１０における第１エンドキャップ３０１の第１凹部３０７と、他方の水平出しＬＥＤランプ１１０における第２エンドキャップ３０２の第２凸部３０８とを連結する。すなわち、一方の水平出しＬＥＤランプ１１０と他方の水平出しＬＥＤランプ１１０とを連結するとき、一方の水平出しＬＥＤランプ１１０の第１エンドキャップ３０１と、他方の水平出しＬＥＤランプ１１０の第２エンドキャップ３０２が連結する。
【００５８】
［２．エンドキャップの形状］
ここで、実施の形態に係る連結ユニットとして、第１エンドキャップ３０１と、第２エンドキャップ３０２の詳細な構造を説明する。
【００５９】
図８は、実施の形態に係るエンドキャップの第１の形状の一例を示す図である。図８の（ａ）は、垂直出しＬＥＤランプ１００おける第１エンドキャップ３０１の形状の一例である。図８の（ｂ）は、垂直出しＬＥＤランプ１００における第２エンドキャップ３０２の形状の一例である。図８の（ｃ）は、水平出しＬＥＤランプ１１０における第１エンドキャップ３０１の形状の一例である。図８の（ｄ）は、水平出しＬＥＤランプ１１０における第２エンドキャップ３０２の形状の一例である。
【００６０】
垂直出しＬＥＤランプ１００、水平出しＬＥＤランプ１１０によらず、第１エンドキャップ３０１および第２エンドキャップ３０２は、それぞれ連結する部分として、第１の面３１０、第２の面３１１、第３の面３１２を有する。
【００６１】
第１の面３１０は、ＬＥＤランプの長手方向に対して略垂直な面であり、連結する際に、連結されるエンドキャップの第３の面３１２と組み合わされる。
【００６２】
第２の面３１１は、ＬＥＤランプの長手方向に対して略平行な面であって、垂直出しＬＥＤランプ１００では鉛直方向の面であり、水平出しＬＥＤランプ１１０では水平方向の面である。第２の面３１１は、連結する際に、連結されるエンドキャップの第２の面３１１と組み合わされる。
【００６３】
第３の面３１２は、ＬＥＤランプ１０１の長手方向に対して略垂直な面であり、連結する際に、連結されるエンドキャップの第１の面３１０と組み合わされる。
【００６４】
図８に示すように、第１エンドキャップ３０１および第２エンドキャップ３０２は、第２の面３１１が第１の面３１０および第３の面３１２に隣り合うような配置であるため、第１の面３１０と第２の面３１１から構成される凸部と、第２の面３１１と第３の面３１２から構成される凹部を有し、Ｌ字型の形状である。
【００６５】
また、第１エンドキャップ３０１および第２エンドキャップ３０２が有する通線部３０４は、第２の面３１１に沿うように、エンドキャップの周縁に位置する。
【００６６】
図９は、実施の形態に係る第１の形状を有するエンドキャップ同士の連結の一例を示す図である。図９の（ａ）は、垂直出しＬＥＤランプ１００において、第１の形状を有する第１エンドキャップ３０１同士を連結した状態を示す図である。図９の（ｂ）は、垂直出しＬＥＤランプ１００において、第１の形状を有する第２エンドキャップ３０２同士を連結した状態を示す図である。
【００６７】
図５，７、８における説明のように、一方のエンドキャップと他方のエンドキャップが連結される際に、一方のエンドキャップが有する凸部が他方のエンドキャップが有する凹部と対応し、一方のエンドキャップが有する凹部が他方のエンドキャップが有する凸部と対応するため、ＬＥＤランプの回動は規制される。図９に示すように、エンドキャップの第２の面３１１同士にはわずかな隙間が生じるが、ＬＥＤランプが回動すると、エンドキャップの稜線３１４同士が当接することでその回動が規制される。
【００６８】
［３．効果］
以上のように、実施の形態における連結ユニットは、ケーブル給電型である一方のＬＥＤランプに取り付けられる第１エンドキャップ３０１およびケーブル給電型である他方のＬＥＤランプに取り付けられる第１エンドキャップ３０１、またはケーブル給電型である一方のＬＥＤランプに取り付けられる第１エンドキャップ３０１およびケーブル給電型である他方のＬＥＤランプに取り付けられる第２エンドキャップ３０２を有する。そして、第１エンドキャップ３０１は第１凸部３０６と第１凹部３０７とを含む第１連結部を備え、第２エンドキャップ３０２は、第１凹部３０７に対応する第２凸部３０８と、第１凸部３０６に対応する第２凹部３０９とを含む第２連結部を備える。
【００６９】
これにより、ケーブル給電型のＬＥＤランプの場合には、連結されるＬＥＤランプの間の照度のバラつきを抑制することができる。具体的には、口金給電型のＬＥＤランプ１０１では、ＬＥＤパッケージ１０４の間隔が、ソケット２０１および防水リング２０４の幅によって離れてしまうが、本実施の形態では、ケーブル給電型のＬＥＤランプを用いているため、ソケット２０１を用いる必要がなく、ＬＥＤパッケージ１０４の間隔を口金給電型のＬＥＤランプ１０１よりも縮めることができる。
【００７０】
図１０は、実施の形態に係る栽培工場におけるＬＥＤランプの配置を従来と比較した際の一例を示す図である。図１０の（ａ）は、従来の栽培工場における口金給電型のＬＥＤランプ１０１の配置を示す図であり。図１０の（ｂ）は、実施の形態に係る栽培工場におけるケーブル給電型の垂直出しＬＥＤランプ１００の配置を示す図である。
【００７１】
図１０の（ａ）に示すように、従来の栽培工場では口金給電型のＬＥＤランプ１０１が用いられる場合、一方のＬＥＤランプ１０１が装着されるソケット２０１と一方のＬＥＤランプ１０１が装着されるソケット２０１の間では光の照度がＬＥＤランプ１０１の中心部分の光の照度よりも暗くなる。これにより、従来の栽培工場では栽培物４０１の成長にバラつきが生じる。
【００７２】
一方で、図１０の（ｂ）に示すように、実施の形態に係る栽培工場では、ケーブル給電型のＬＥＤランプが用いられるため、口金ピン１０６およびソケット２０１を有しない。そして、連結ユニットは、第１エンドキャップ３０１または第２エンドキャップ３０２で構成され、第１エンドキャップ３０１または第２エンドキャップ３０２を用いてケーブル給電型のＬＥＤランプを連結したものであるため、口金ピン１０６の長さおよびソケット２０１の幅の影響を受けない。
【００７３】
これにより、ケーブル給電型のＬＥＤランプでは、本実施の形態の連結ユニットを用いることで、連結されるケーブル給電型のＬＥＤランプ間の間隔を縮めることができる。この場合、垂直出しＬＥＤランプ１００は、例えば、ホルダ３０５によって所定の位置に保持される。
【００７４】
図１１は、実施の形態に係る栽培工場におけるＬＥＤランプ１０１の配置による照度分布を従来と比較した図である。なお、照度の最大値を１としたときの相対表示にした図である。図１１の（ａ）は、従来の栽培工場におけるＬＥＤランプ１０１の配置の際の照度分布の一例を示す図であり、図１１の（ｂ）は、実施の形態に係る栽培工場におけるＬＥＤランプ１００の配置の際の照度分布の一例を示す図である。
【００７５】
図１２は、実施の形態に係る栽培工場におけるＬＥＤランプの配置による照度を従来と比較したグラフ表示示す図である。なお照度の最大値を１としたときの相対表示にし、図１１における二次元分布の短辺側中心線上でプロットしたグラフである。図１２の（ａ）は、従来の栽培工場におけるＬＥＤランプ１０１の配置の際の照度のグラフ表示の一例を示す図であり、図１２の（ｂ）は、実施の形態に係る栽培工場におけるＬＥＤランプ１００の配置の際の照度のグラフ表示の一例を示す図である。
【００７６】
なお図１１、１２とも照度の計算結果であるが、植物育成分野で広く使用される光量子束密度（ＰＰＦＤ）でも同等結果となる。
【００７７】
図１１の（ａ）および図１２の（ａ）では、Ｘ方向位置が±６００の地点に口金給電型のＬＥＤランプ１０１における口金ピン１０６およびソケット２０１が配置される。図１１（ａ）および図１２（ａ）に示すように、一方の口金給電型のＬＥＤランプ１０１が装着されるソケット２０１と他方の口金給電型のＬＥＤランプ１０１が装着されるソケット２０１の間では光の照度が口金給電型のＬＥＤランプ１０１の中心部分の１つであるＸ方向位置が０の地点の光の照度よりも暗い。すなわち、ソケット２０１型のＬＥＤランプ１０１では、光の照度にバラつきが生じる。
【００７８】
一方で、図１１の（ｂ）および図１２の（ｂ）では、Ｘ方向位置が±６００の地点には実施の形態の連結ユニットが用いられて、互いにケーブル給電型のＬＥＤランプ１００が連結されている。これにより、図１１の（ｂ）および図１２の（ｂ）に示すように、実施の形態では、光の照度のバラつきを抑制することができる。
【００７９】
具体的には、例えば、ＬＥＤランプの中心の直下（Ｘ方向位置が０の地点）における光量を照度で算出した場合１２０００ルクス、ＰＰＦＤで算出した場合２３０μｍｏｌ  ｍ−２  ｓ−１ｂであり、Ｘ方向位置が０の地点における相対照度１．００としたときに、図１１の（ａ）および図１２の（ａ）では、ソケット２０１とソケット２０１の間であるＸ方向位置が±６００の地点の相対度が０．９０である。一方で、図１１の（ｂ）および図１２の（ｂ）では、Ｘ方向位置が±６００の地点の相対度が０．９５以上である。
【００８０】
また、実施の形態における連結ユニットは、一方のエンドキャップの凸部が他方のエンドキャップの凹部に対応する形状であり、かつ、一方のエンドキャップの凹部が他方のエンドキャップの凸部に対応する形状である。
【００８１】
これにより、連結ユニットは互いのＬＥＤランプの回転を規制することができる。
【００８２】
さらに、口金給電型のＬＥＤランプ１０１ではＬＥＤランプ１０１の照射方向を調整する際に、ＬＥＤランプ１０１の中心軸に対して個々のＬＥＤランプ１０１を回転調整していたが、本実施の形態の連結ユニットを用いると、１つのＬＥＤランプ１０１だけ回転方向を調整しておけば、その他の全てのＬＥＤランプ１０１はエンドキャップの連結によりランプの回転ずれを規制することができる。
【００８３】
また、実施の形態における連結ユニットは、第１エンドキャップ３０１に各々のＬＥＤランプが有する給電ケーブル３０３を通す通線部３０４を有してもよい。
【００８４】
これにより、連結されるＬＥＤランプ間で給電ケーブル３０３の配線をガイドすることができる。
【００８５】
実施の形態における連結ユニットは、一方のエンドキャップと他方のエンドキャップは同一の構造を有してもよい。すなわち、一方の垂直出しＬＥＤランプ１００と他方の垂直出しＬＥＤランプ１００とを連結するとき、互いの第１エンドキャップ３０１または互いの第２エンドキャップ３０２が連結するようにしてもよい。
【００８６】
これにより、互いのＬＥＤランプ１００の給電ケーブル３０３が隣り合う第１エンドキャップから配線されるため、互いのＬＥＤランプ１００の給電ケーブル３０３を容易に配線することができる。
【００８７】
［４．エンドキャップの第２の形状例］
図１３は、本実施の形態に係るエンドキャップの第２の形状の一例を示す図である。図１３の（ａ）は、本実施の形態に係る第１エンドキャップ３２１の第２の形状の一例を示す図である。図１３の（ｂ）は、本実施の形態に係る第２エンドキャップ３２２の第２の形状の一例を示す図である。
【００８８】
第１の形状と異なる点は、エンドキャップの周縁に突起部３１３を設けている点である。
【００８９】
図１４は、本実施の形態に係る第２の形状を有するエンドキャップ同士の取り付けの一例を示す図である。図１４の（ａ）は、第２の形状を有する第１エンドキャップ３２１同士の取り付けの一例を示す図である。図１４の（ｂ）は、第２の形状を有する第２エンドキャップ３２２同士の取り付けの一例を示す図である。
【００９０】
図１４に示すように、突起部３１３は、互いのＬＥＤランプを連結する際の目印にすることができる。
【００９１】
具体的には、互いのエンドキャップが有する突起部３１３を一直線上に合わせることで、突起部３１３を目印とすることができる。
【００９２】
なお、図１３および１４では、突起部３１３をエンドキャップの周方向に均等に４個設けたが、これに限定されず、１個であっても複数個であっても良い。
【００９３】
［５．エンドキャップの第３の形状例］
図１５は、実施の形態に係るエンドキャップの第３の形状の一例を示す図である。
【００９４】
図１５に示すように、第１エンドキャップ３３１の側面視の形状が凹部であり、第２エンドキャップ３３２の側面視の形状が凸部の形状である。例えば、第１エンドキャップ３３１は第１凹部３３７を有し、第２エンドキャップ３３２は第２凸部３３８を有し、第２エンドキャップ３３２における第２凸部３３８と第１エンドキャップ３３１における第１凹部３３７を連結させる。すなわち、図１５に示すように、第１エンドキャップ３３１および第２エンドキャップ３３２は、図８のようなＬ字型の形状ではなく、それぞれ中央部に凹部および凸部を有する。この場合、第１エンドキャップにおけるＬＥＤランプの長手方向に平行な少なくとも一つの断面が凹型の形状を有し、第２エンドキャップにおけるＬＥＤランプの長手方向に平行な少なくとも一つの断面が凸型の形状を有する。
【００９５】
また、側面視における中央部に、第１エンドキャップが第１凸部を有し、第２エンドキャップが第２凹部を有し、第１エンドキャップの第１凸部と第２エンドキャップの第２凹部を連結させてもよい。この場合、第１エンドキャップにおけるＬＥＤランプの長手方向に平行な少なくとも一つの断面が凸型の形状を有し、第２エンドキャップにおけるＬＥＤランプの長手方向に平行な少なくとも一つの断面が凹型の形状を有する。また、第１エンドキャップの第１凸部に通線部３０４を設けることができる。
【００９６】
［６．エンドキャップの第４の形状例］
図１６は、本実施の形態に係るエンドキャップの第４の形状の一例を示す斜視図である。
【００９７】
第１エンドキャップ３４１は凹部を複数有する。また、第２エンドキャップ３４２は凸部を複数有する。例えば、図１６に示すように、第１エンドキャップ３４１が２つの第１凹部３４７を有し、第２エンドキャップ３４２が２つの第２凸部３４８を有する。そして、第２エンドキャップ３４２における第２凸部３４８と第１エンドキャップ３４１における第１凹部３４７を連結させる。すなわち、図１６における第１エンドキャップ３４１および第２エンドキャップ３４２は、図８のようなＬ字型の形状ではなく、それぞれ複数の凹部および複数の凸部を有する。
【００９８】
なお、図１６において、第１エンドキャップ３４１のみが通線部３０４を有しているが、第２エンドキャップ３４２も通線部３０４を有してもよい。
【００９９】
また、図１６において、第１エンドキャップ３４１が２つの第１凹部３４７を有し、第２エンドキャップ３４２が２つの第２凸部３４８を有しているが、これに限定されず、凹部および凸部は互いの個数が対応して複数有していればよい。
【０１００】
［７．その他］
以上、本発明及びそれに関連する発明について説明したが、それらの発明はこれまでに説明されたものに限定されるものではなく、それらの発明の趣旨を逸脱しない範囲で種々の変更が可能である。
【０１０１】
なお、垂直出しＬＥＤランプおよび水平出しＬＥＤランプを所定の位置に保持するために、ホルダ３０５を設けてもよい。図１７は、実施の形態に係るＬＥＤランプを保持するためのホルダ３０５の一例を示す図である。図１７に示すように、ホルダ３０５は、垂直出しＬＥＤランプまたは水平出しＬＥＤランプのＬＥＤパイプ１０２の周縁に沿って、挟み込むように配置される。
【０１０２】
また、本実施の形態では、連結ユニットにおいて、一方のエンドキャップの凸部が他方のエンドキャップの凹部に入り、一方のエンドキャップの凹部に他方のエンドキャップの凸部が入るが、これは、凸部と凹部が密着することに限定しているわけではない。すなわち、一方のエンドキャップの第１の面３１０が他方のエンドキャップの第３の面３１２と密着し、かつ、第２の面３１１同士が密着し、かつ、一方のエンドキャップの第３の面３１２が他方のエンドキャップの第１の面３１０と密着することに限定されない。それゆえ、互いのエンドキャップの凸部と凹部の間にあそびを設けてもよい。
【０１０３】
なお、あそびは、連結ユニットにおいて、エンドキャップを例えば±１０度程度に回転することができる空間を意味する。
【０１０４】
また、第１エンドキャップおよび第２エンドキャップにおける凸部の高さ、すなわち第２の面３１１の第１の面３１０及び第３の面３１２と垂直となる辺の長さは、２ｍｍ以上であるとよい。これにより、連結ユニットにおいてエンドキャップを回転させたとしても、一方のエンドキャップの第２の面３１１と他方のエンドキャップの稜線３１４、すなわち凸のエッジ部分が接触することで、それ以上回転することができず、回転規制をかけることができる。
【０１０５】
また、本実施の形態では、ケーブル給電型のＬＥＤランプを、給電ケーブルが垂直方向から配線される垂直出しＬＥＤランプと、水平方向から配線される水平出しＬＥＤランプと、を用いて説明したが、これに限定されず、給電ケーブルの配線方向は垂直また水平でなくてもよい。
【産業上の利用可能性】
【０１０６】
本開示にかかる連結ユニットおよび連結器具は、例えば複数のＬＥＤランプを使用する植物工場などにおいて、ＬＥＤランプ間の照度低下を抑えることで野菜栽培時の生長のバラつきを抑制でき、有用である。また、個々のＬＥＤランプに対する設置作業工数を削減することができ、有用である。
【符号の説明】
【０１０７】
１００、１０１、１１０  ＬＥＤランプ
１０２  ＬＥＤパイプ
１０３  基板
１０４  ＬＥＤパッケージ
１０５  口金部
１０６  口金ピン
１０７  天面
２０１  ソケット
２０２  ソケットボディ
２０３  回転子
２０４  防水リング
３０１、３２１、３３１、３４１  第１エンドキャップ
３０２、３２２、３３２、３４２  第２エンドキャップ
３０３  給電ケーブル
３０４  通線部
３０５  ホルダ
３０６  第１凸部
３０７、３３７、３４７  第１凹部
３０８、３３８、３４８  第２凸部
３０９  第２凹部
３１０  第１の面
３１１  第２の面
３１２  第３の面
３１３  突起部
３１４  稜線
４０１  栽培物
４０２  栽培ベッド
【図１】
2019073768.tif 000003
【図２】
2019073768.tif 000004
【図３】
2019073768.tif 000005
【図４】
2019073768.tif 000006
【図５】
2019073768.tif 000007
【図６】
2019073768.tif 000008
【図７】
2019073768.tif 000009
【図８】
2019073768.tif 000010
【図９】
2019073768.tif 000011
【図１０】
2019073768.tif 000012
【図１１】
2019073768.tif 000013
【図１２】
2019073768.tif 000014
【図１３】
2019073768.tif 000015
【図１４】
2019073768.tif 000016
【図１５】
2019073768.tif 000017
【図１６】
2019073768.tif 000018
【図１７】
2019073768.tif 000019
【手続補正書】
【提出日】令和2年1月20日(2020.1.20)
【手続補正１】
【補正対象書類名】明細書
【補正対象項目名】００２０
【補正方法】変更
【補正の内容】
【００２０】
このように、従来の照明装置における取り付けでは、ＬＥＤランプ１０１およびＬＥＤランプ１０１に設けられた防水リング２０４をソケット２０１に回転させて取り付ける。
【手続補正２】
【補正対象書類名】明細書
【補正対象項目名】００４９
【補正方法】変更
【補正の内容】
【００４９】
図５の例では、一方の垂直出しＬＥＤランプ１００と他方の垂直出しＬＥＤランプ１００とを連結するとき、互いの第１エンドキャップ３０１または互いの第２エンドキャップ３０２が連結されるようにした。これに対し、後述のように、一方の垂直出しＬＥＤランプ１００の第１エンドキャップ３０１の第１凸部３０６と、他方の垂直出しＬＥＤランプ１００の第２エンドキャップ３０２の第２凹部３０９とを連結し、一方の垂直出しＬＥＤランプ１００の第１エンドキャップ３０１の第１凹部３０７と、他方の垂直出しＬＥＤランプ１００の第２エンドキャップ３０２の第２凸部３０８とを連結するようにしてもよい。すなわち、２つの垂直出しＬＥＤランプ１００を連結するとき、一方の垂直出しＬＥＤランプ１００の第１エンドキャップ３０１と、他方の垂直出しＬＥＤランプ１００の第２エンドキャップ３０２が連結されてもよい。
【手続補正３】
【補正対象書類名】明細書
【補正対象項目名】００５１
【補正方法】変更
【補正の内容】
【００５１】
給電ケーブル３０３の水平出しによるＬＥＤランプ１１０（以下、水平出しＬＥＤランプ１１０）は、垂直出しＬＥＤランプ１００とは、図６に示すように、ＬＥＤパッケージ１０４が鉛直方向下向きの場合に、給電ケーブル３０３が水平方向、かつＬＥＤランプ１１０の長手方向に対して垂直な方向から配線される点で異なる。具体的には、給電ケーブル３０３は、図６に示すように、第１エンドキャップ３０１における基板１０３の側面側に接続されている。
【手続補正４】
【補正対象書類名】明細書
【補正対象項目名】００６３
【補正方法】変更
【補正の内容】
【００６３】
第３の面３１２は、ＬＥＤランプの長手方向に対して略垂直な面であり、連結する際に、連結されるエンドキャップの第１の面３１０と組み合わされる。
【手続補正５】
【補正対象書類名】明細書
【補正対象項目名】００６５
【補正方法】変更
【補正の内容】
【００６５】
また、第１エンドキャップ３０１が有する通線部３０４は、第２の面３１１に沿うように、エンドキャップの周縁に位置する。
【手続補正６】
【補正対象書類名】特許請求の範囲
【補正対象項目名】全文
【補正方法】変更
【補正の内容】
【特許請求の範囲】
【請求項１】
ケーブル給電型の第１の照明装置に取り付けられる第１の連結器具と、
ケーブル給電型の第２の照明装置に取り付けられる第２の連結器具と、を備え、
前記第１の連結器具は、前記第２の連結器具と連結する第１の連結部と、前記第１の連結部とは異なる部分に設けられた第１の突起部と、を有し、
前記第２の連結器具は、前記第１の連結器具と連結する第２の連結部と、前記第２の連結部とは異なる部分に設けられた第２の突起部と、を有し、
前記第１の連結部は、前記第１の照明装置の長手方向に平行な少なくとも一つの断面がＬ字型の形状を有し、前記第１の突起部は、前記第１の照明装置の長手方向に垂直な方向の突起であり、
前記第２の連結部は、前記第２の照明装置の長手方向に平行な少なくとも一つの断面がＬ字型の形状を有し、前記第２の突起部は、前記第２の照明装置の長手方向に垂直な方向の突起である、
連結ユニット。
【請求項２】
前記第１の連結器具と前記第２の連結器具とが連結されたとき、前記第１の連結部と前記第２の連結部との間に隙間が生じる、
請求項１に記載の連結ユニット。
【請求項３】
前記第１の連結器具は、前記第１の照明装置が有する給電ケーブルを通す通線部を、前記第１の連結部とは異なる部分に有し、
前記第２の連結器具は、前記第２の照明装置が有する給電ケーブルを通す通線部を、前記第２の連結部とは異なる部分に有する、
請求項１または２に記載の連結ユニット。
【請求項４】
前記第１の連結器具は、前記第１の照明装置が有する給電ケーブルを通す通線部を、前記第１の連結部とは異なる部分に有し、
前記第２の連結器具は、前記第２の照明装置が有する給電ケーブルを通す通線部を有しない、
請求項１または２に記載の連結ユニット。
【請求項５】
ケーブル給電型の照明装置に取り付けられ、他のケーブル給電型の照明装置に取り付けられる他の連結器具と連結するための連結器具であって、
前記他の連結器具と連結する連結部と、
前記連結部とは異なる部分に設けられた突起部と、を備え、
前記連結部は、前記他の連結器具が有する凸部に対応する連結凹部と、前記他の連結器具が有する凹部に対応する連結凸部とを含み、
前記突起部は、前記照明装置の長手方向に垂直な方向の突起である、
連結器具。
【請求項６】
前記他の連結器具と連結したとき、前記他の連結器具が有する凸部と前記連結凹部との間および前記他の連結器具が有する凹部と前記連結凸部との間には隙間が生じる、
請求項５に記載の連結器具。
【請求項７】
前記ケーブル給電型の照明装置が有する給電ケーブルを通す通線部を、前記連結部とは異なる部分に有する、
請求項５または６に記載の連結器具。
【国際調査報告】
2019073768.tif 000020
2019073768.tif 000021
2019073768.tif 000022